(57)【特許請求の範囲】
【請求項１】
機器の使用を検知する使用検知手段と、
前記使用検知手段からの信号により待機電力モードと通常電力モードの切替指示を出力するＣＰＵと、
少なくとも前記ＣＰＵに電力を供給する電源と、
機器の漏電を検知する漏電検知回路と、
前記漏電検知回路の動作確認をする漏電テスト回路と、
前記ＣＰＵへの供給電圧を放電低下させる放電回路と、
前記電源の２次側負荷および前記漏電検知回路への通電を遮断する２次側負荷電源遮断回路と、を備え、
前記ＣＰＵは、前記漏電テスト回路を作動させるＥＬＢモードへの切換指示により、前記漏電テスト回路を作動させ、前記漏電テスト回路を作動させた後に、前記電源の２次側負荷および前記漏電検知回路への通電を前記２次側負荷電源遮断回路により遮断するとともに、前記放電回路を動作する電力制御装置。
【請求項２】
前記電源は、前記ＣＰＵからの待機電力モードへの切換信号により、前記電源が間欠駆動停止を繰り返す制御を行う電源制御素子を備えた請求項１に記載の電力制御装置。
【請求項３】
請求項１または２に記載の電力制御装置を備えた機器。
【発明の詳細な説明】
【技術分野】
【０００１】
本発明は、機器を使用していないときの待機時消費電力を低減させた電力制御装置およびそれを備えた機器に関するものである。
【背景技術】
【０００２】
近年のエネルギー事情および電力事情から、機器における省エネルギーの重要性が年々高くなっている。特に、機器を使用していないときの待機時消費電力（以下、「待機電力」と記す）を、限りなくゼロに近づけることが要望されている。
【０００３】
従来、この種の電力制御装置として、例えば機器であるトイレ装置を使用していないときの電源部で消費する電力を低減して、待機電力を削減する電力制御装置を備えたトイレ装置が提案されている。（例えば、特許文献１参照）。
【０００４】
特許文献１に記載のトイレ装置の電力制御装置は、人体検出部と、機能部と、制御部と、第一電源部と、第二電源部と、電力制御素子と、を備えている。人体検出部は、トイレ内の人体の有無を検出する。機能部は、トイレ内の環境を整備する。制御部は、人体検出部と機能部を駆動する。第一電源部は、人体検出部と制御部に直流電源を供給する。第二電源部は、商用電源を直流電源に変換して機能部に直流電源を供給する。電力制御素子は、第二電源部の前段に位置し、商用電源から第二電源部への通電を制御する。
【０００５】
そして、トイレ装置の電力制御装置の制御部は、人体検出部の検知結果に応じて電力制御素子を駆動し、第二電源部への商用電源の供給を制御する。これにより、トイレ内に使用者が存在しない場合、トイレ装置は消費電力の小さい電源部のみ動作させて、トイレ装置が使用されていない状態での待機電力を小さくする。また、トイレ装置を使用する場合、使用者の操作意思によることなくトイレ内にトイレ使用者がいるだけで自動的に全ての機能を動作可能な状態にする。
【０００６】
つまり、従来のトイレ装置の電力制御装置の構成は、機器であるトイレ装置が使用されていない場合、電源部自身で通常に消費する電力や待機時の電力を削減させている。
【先行技術文献】
【特許文献】
【０００７】
【特許文献１】特開２００２−１４６８７８号公報
【発明の概要】
【発明が解決しようとする課題】
【０００８】
しかしながら、前記従来の構成では、２つの電源で構成されており複雑で基板スペースが大きくなるとともにコストも高くなっていた。また、２つの電源のうち１つは待機時も常時接続されているため、待機電力として、０．５Ｗ程度の消費が必要であり、より微小な待機電力にすることが望まれる。
【０００９】
すなわち、従来のトイレ装置の電力制御装置の構成は、機器が使用されていない場合、大きな電力負荷である機能部などへ電力を供給する電力を抑える。そして、操作部の操作信号や人体検出部の検知信号および各種温度検出部の温度検出信号を処理する。つまり、各種ヒータやモータおよびＬＥＤなどの各負荷の駆動を指示する小さな電力負荷のマイコンなどへ電力を供給する電力のみだけに消費する構成である。これにより、待機状態時に、マイクロコンピュータ（以下、「ＣＰＵ」と記す）が通常動作より低い消費電力となる
低速動作をさせて低消費電力モードを実現しているが、この時に消費する主電源の待機電力として、０．５Ｗ程度の消費が必要である。
【００１０】
そこで、１つの電源で通常電力モードと待機電力モードとを切り替え、待機電力をさらに微小な低電力にすることを可能とし、機器が使用されていない場合に、ＣＰＵが、電源に通常電力モードから待機電力モードへ切り替える信号を出し、電源内の電源制御素子（電源制御ＩＣ）が前記電源の間欠駆動停止を繰り返す制御を行う構成を考えるに至った。この構成において、万が一機器に漏電が発生した場合にその漏電を検出する漏電検知回路が構成されており、その漏電検知回路が正常に働くことをテスト確認する漏電テスト回路が作動させた状態（ＥＬＢモード）から復帰する場合は、コンセントを抜き再投入することにより、ＣＰＵをリセットさせる必要があるが、コンセントを抜いても電荷が残りＣＰＵがリセットする電圧まで放電しないため、脱臭ファン駆動回路を動作させて放電させ、ＣＰＵをリセットし復帰させていた。
しかし、この構成の場合、漏電テスト回路を作動させた状態（ＥＬＢモード）において、脱臭ファンが無用に動作するという不具合を生じる課題がある。
【００１１】
本発明は、前記従来の課題を解決するもので、通常電力モードと機器を使用していないときの待機電力を微小にできる待機電力モードを備え、漏電検知回路が正常に働くことを確認する漏電テスト回路を作動させた状態（ＥＬＢモード）から復帰させる際に、脱臭ファン等を無用に動作させることなく、安定してＣＰＵをリセットさせ復帰させることができる電力制御装置およびそれを備えた機器を提供することを目的とする。
【課題を解決するための手段】
【００１２】
前記従来の課題を解決するために、本発明の電力制御装置は、機器の使用を検知する使用検知手段と、前記使用検知手段からの信号により待機電力モードと通常電力モードの切替指示を出力するＣＰＵと、少なくとも前記ＣＰＵに電力を供給する電源と、機器の漏電を検知する漏電検知回路と、前記漏電検知回路の動作確認をする漏電テスト回路と、前記ＣＰＵへの供給電圧を放電低下させる放電回路と、前記電源の２次側負荷および前記漏電
検知回路への通電を遮断する２次側負荷電源遮断回路と、を備え、前記ＣＰＵは、前記漏電テスト回路を作動させるＥＬＢモードへの切換指示により、前記漏電テスト回路を作動させ、前記漏電テスト回路を作動させた後に、前記電源の２次側負荷および前記漏電検知回路への通電を前記２次側負荷電源遮断回路により遮断するとともに、前記放電回路を動作する構成であることを特徴とするものである。
【００１３】
これによって、漏電テスト回路を作動させるＥＬＢモードへの切換指示によりＥＬＢモードへ切替わると、２次側負荷および漏電検知回路への通電が２次側負荷電源遮断回路によって遮断されるとともに、放電回路によって放電されＣＰＵがリセットされる。
【００１４】
このように、ＥＬＢモードから復帰させる際に、コンセントを抜くことで電源供給がなくなると同時に、放電回路により電源の残留電圧をＣＰＵリセット電圧以下まで放電させることで、無用に脱臭ファンが動作することなく、確実にＣＰＵをリセットさせ復帰させることができる待機電力が少ない電力制御装置およびそれを備えた機器を提供することができる。
【発明の効果】
【００１５】
本発明の電力制御装置およびそれを備えた機器は、機器を使用していないときの待機電力モード時、待機電力を微小にできるとともに、漏電テスト回路を作動させるＥＬＢモードから復帰させる際に、無用に脱臭ファン動作することなく、確実にＣＰＵをリセットすることができる。
【図面の簡単な説明】
【００１６】
【図１】本発明の実施の形態における電力制御装置およびそれを備えた機器である衛生洗浄装置の外観を示す斜視図
【図２】本発明の実施の形態における衛生洗浄装置の制御系のブロック図
【図３】本発明の実施の形態におけるリモートコントローラの外観を示す斜視図
【図４】本発明の実施の形態におけるリモートコントローラのフロントパネルを開放した状態の正面図
【図５】図３に示す５−５線断面図
【図６】本発明の実施の形態における電力制御装置を例示するブロック図
【図７】図６のブロック図における通常モードから待機モードに切り替わる動作を例示するタイミングチャート図
【図８】図６のブロック図における漏電テスト回路の作動時を例示するタイミングチャート図
【発明を実施するための形態】
【００１７】
第１の発明は、機器の使用を検知する使用検知手段と、前記使用検知手段からの信号により待機電力モードと通常電力モードの切替指示を出力するＣＰＵと、少なくとも前記ＣＰＵに電力を供給する電源と、機器の漏電を検知する漏電検知回路と、前記漏電検知回路の動作確認をする漏電テスト回路と、前記ＣＰＵへの供給電圧を放電低下させる放電回路と、前記電源の２次側負荷および前記漏電検知回路への通電を遮断する２次側負荷電源遮断回路と、を備え、前記ＣＰＵは、前記漏電テスト回路を作動させるＥＬＢモードへの切換指示により、前記漏電テスト回路を作動させ、前記漏電テスト回路を作動させた後に、前記電源の２次側負荷および前記漏電検知回路への通電を前記２次側負荷電源遮断回路により遮断するとともに、前記放電回路を動作することを特徴とするものである。
【００１８】
これによって、漏電テスト回路を作動させるＥＬＢモードへの切換指示により、ＥＬＢモードへ切替わると、２次側負荷および漏電検知回路への通電が２次側負荷電源遮断回路によって遮断されるとともに、放電回路が動作され、ＣＰＵへの供給電圧がＣＰＵリセット電圧以下まで放電させることができ、コンセントを抜いて差し込む、いわゆるＥＬＢモードから復帰させる際に、無用に脱臭ファン動作することなく、確実にＣＰＵをリセットさせ復帰させることができる。
【００１９】
第２の発明は、特に、第１の発明の電源は、前記ＣＰＵからの待機電力モードへの切換信号により、前記電源が間欠駆動停止を繰り返す制御を行う電源制御素子を備えた構成であってもよい。
【００２０】
これによって、使用検知手段からの信号によりＣＰＵが通常電力モードから待機電力モードへ移行させる条件になると、ＣＰＵは、待機電力モードへの切換指示により、電源の２次側負荷および漏電検知回路への通電を２次側負荷電源遮断回路により遮断するとともに、ＣＰＵ自体を待機電力モードに移行し、電源制御素子が電源の間欠駆動停止を繰り返す制御を行い、待機電力をより微小にできるとともに、外部ノイズ等による漏電検知回路の誤動作を防止でき、安定して動作させることができる。
【００２１】
第３の発明は、特に、第１または第２の発明の電力制御装置を備えた機器は、機器を使用していないときの待機電力モード時、待機電力を微小にできるとともに、電源負荷が微小で放電しにくい場合でも、ＥＬＢモードから復帰させるためにコンセントを抜いた際に確実に放電し、ＣＰＵリセットさせ復帰させることができる。
【００２２】
（実施の形態）
以下に、本実施の形態の電力制御装置およびそれを備えた機器について、トイレ装置などの衛生洗浄装置を例に、図を用いて説明する。
【００２３】
図１は、本発明の実施の形態における電力制御装置およびそれを備えた機器である衛生洗浄装置の外観を示す斜視図である。
【００２４】
図１に示すように、本実施の形態の衛生洗浄装置１００は、少なくとも本体２００と、便蓋２１０と、便座２２０と、リモートコントローラ４００などから構成される。そして、本体２００、便蓋２１０、便座２２０は、一体で構成され、便器１１０の上面に設置される。
【００２５】
なお、図１に示す衛生洗浄装置１００においては、本体２００の設置側を後方、便座２２０の設置側を前方とし、前方に向かって右側を右側、前方に向かって左側を左側として各構成要素の配置を説明する。
【００２６】
本体２００は、便蓋２１０および便座２２０が、便座便蓋回動機構２１５を介して開閉可能に取り付けられている。便座便蓋回動機構２１５は、例えば直流モータと複数のギアなどで構成され、便蓋２１０と便座２２０を個別または同時に開閉する。そして、便蓋２１０を開放した場合、図１に示すように、便蓋２１０は、衛生洗浄装置１００の最後部に位置するように起立する。一方、便蓋２１０を閉成すると便座２２０の上面を隠蔽する。
【００２７】
また、便座２２０は便座ヒータ２２１を内蔵し、便座ヒータ２２１は便座２２０の着座面が快適な温度になるように、例えば４０度程度に加熱する。
【００２８】
また、本体２００の内部には、洗浄水供給機構（図示せず）、熱交換器（図示せず）、洗浄ノズル２３１などで構成された人体の局部を洗浄する洗浄機構２３０と、洗浄後の局部を乾燥する乾燥装置（図示せず）と、本体制御部２４０などが内蔵されている。洗浄ノズル２３１は、本体２００の下部中央に設置されている。
【００２９】
洗浄機構２３０は、本体２００の内部に設置された洗浄水供給機構（図示せず）と、洗浄水を加熱する熱交換器（図示せず）と、洗浄水の流量を調整する流量調節機構（図示せず）などから構成され、洗浄ノズル２３１に接続されている。そして、水道配管から供給される洗浄水を熱交換器で加熱し、加熱した温水を洗浄ノズル２３１に供給し、洗浄ノズル２３１から使用者の局部に向けて噴出する。これにより、使用者の局部を、温水で洗浄する。
【００３０】
洗浄ノズル２３１は、お尻を洗浄するお尻洗浄ノズル部と、女性の局部を洗浄するビデノズル部を備えている。さらに、洗浄ノズル２３１は、本体２００内に収容した収納位置と本体２００から突出して洗浄動作を行う洗浄位置との間を進退移動するノズル駆動機構（図示せず）を備えている。
【００３１】
また、本体２００の前面コーナ部には、例えば反射型の赤外線センサなどからなる着座検知センサ２５０が設置されている。そして、着座検知センサ２５０が、赤外線を発光し、人体で反射された赤外線を受光することにより、便座２２０上に使用者が存在することを検出する。
【００３２】
また、本体２００の右側には、本体２００と一体に突出して形成された袖部２６０が設けられている。袖部２６０の上面には、本体操作部２６１と、リモートコントローラ４００から送信される赤外線信号を受信する本体受信部である赤外線受信部２６２が配置されている。本体操作部２６１には、電源スイッチ２６１ａと、使用頻度の高いお尻洗浄機能を操作するお尻洗浄スイッチ２６１ｂが配置されている。
【００３３】
また、図１に示すように、リモートコントローラ４００は、本体２００とは別体で構成
されて、便座２２０上に着座した使用者が操作しやすい位置、例えばトイレルームの壁面などの場所に取り付けられる。リモートコントローラ４００には、トイレルームに入出した使用者を検知する人体検知センサ３００と、衛生洗浄装置１００の各機能の操作と設定を行う複数のスイッチ機能と、表示機能などが配置されている。
【００３４】
以下に、本実施の形態の衛生洗浄装置１００の動作について、簡単に説明する。
【００３５】
まず、トイレルームに使用者が存在しない場合、衛生洗浄装置１００は、便座ヒータ２２１への通電を停止、もしくは２０℃程度の待機温度になるように通電して便座２２０を保温している。
【００３６】
このとき、トイレルームに使用者が入室すると、人体検知センサ３００からの人体検知信号を受け、便座ヒータ２２１に通電を行う。なお、便座ヒータは、８００Ｗ程度の非常に高出力のヒータから構成されている。そこで、使用者がトイレルームに入室してから便座２２０に着座するまでの、例えば６秒から１０秒程度の間に、便座２２０の着座面を、例えば４０℃程度の設定温度まで昇温する。
【００３７】
そして、便座２２０が設定温度に達した後、便座ヒータ２２１への通電を５０Ｗ程度の低ワットに下げて設定温度を保つ。
【００３８】
その後、使用者がトイレルーム内から出ると、便座ヒータ２２１への通電を停止、もしくは２０℃程度の待機温度となるように通電する。これにより、トイレルームに使用者がいないときの、衛生洗浄装置１００の消費電力を、大幅に削減している。
【００３９】
なお、本実施の形態の衛生洗浄装置１００において、上記で説明した洗浄ノズル２３１などからなる洗浄機構２３０と乾燥装置は必須の構成要素ではないので、これらの構成要素を備えていない衛生洗浄装置１００の構成でもよい。
【００４０】
（衛生洗浄装置の動作および作用）
以下に、本実施の形態の衛生洗浄装置の動作および作用について、図１を参照しながら、図２を用いて説明する。
【００４１】
図２は、同実施の形態における衛生洗浄装置の制御系のブロック図である。
【００４２】
図１と図２に示すように、まず、リモートコントローラ４００の人体検知センサ３００が人体を検出すると、人体検知信号をリモートコントローラ４００の赤外線送信部４３６から送信する。送信された人体検知信号は、本体２００の本体受信部（赤外線受信部）２６２で受信された後、本体制御部２４０に送信（伝達）される。伝達された人体検知信号に基づいて、本体制御部２４０は、便座便蓋回動機構２１５を駆動して便蓋２１０を開放する。そして、便座２２０の着座面が１０秒以内に４０℃程度になるように、便座２２０の便座ヒータ２２１への通電を開始して昇温する。
【００４３】
つぎに、使用者が、便座２２０に着座すると、本体２００の着座検知センサ２５０により使用者の着座を検出する。そして、本体制御部２４０が着座信号を受信すると、本体２００のお尻洗浄スイッチ２６１ｂおよびリモートコントローラ４００の洗浄機能の使用者の操作が可能となる。
【００４４】
つぎに、使用者が用便を終了すると、使用者が設定する、お尻洗浄スイッチ２６１ｂおよびリモートコントローラ４００の洗浄条件に基づいて、洗浄機構２３０により局部の洗浄を行う。そして、洗浄が終了すると、使用者は便座２２０から立ち上がってトイレルー
ムから退出する。これにより、リモートコントローラ４００の人体検知センサ３００からの人体検知信号の送信を停止する。
【００４５】
つぎに、人体検知が終了してから所定時間経過後（例えば、５分後）、本体制御部２４０は、便座便蓋回動機構２１５を駆動して便蓋２１０を自動的に閉塞する。そして、便座ヒータ２２１への通電を停止する。その後、再び使用者がトイレルームに入室して、トイレ装置を使用するまで、本体制御部２４０は待機電力を大幅に低下する待機電力モードに移行する。
【００４６】
（リモートコントローラの構成）
以下に、本実施の形態の衛生洗浄装置のリモートコントローラの構成について、図２を参照しながら、図３から図５を用いて説明する。
【００４７】
図３は、同実施の形態におけるリモートコントローラの外観を示す斜視図である。図４は、同実施の形態におけるリモートコントローラのフロントパネルを開放した状態を示す正面図である。図５は、図３に示す５−５線断面図である。
【００４８】
図３に示すように、リモートコントローラ４００は、全体形状が薄い直方体で形成されている。そして、リモートコントローラ４００は、例えば樹脂材料で成形された箱状のリモコン本体４０１と、リモコン本体４０１の前面を覆うフロントパネル４０２で構成されている。フロントパネル４０２は、リモコン本体４０１の前面下端部で開閉自在に枢支されている。具体的には、リモコン本体４０１の上端近傍の左右に設けた磁石４０１ａと、フロントパネルの磁石４０１ａに対応する位置に設けたステンレス製の受板４０２ｃにより、磁力を介して、フロントパネル４０２の閉塞状態を維持している。
【００４９】
なお、通常、リモートコントローラ４００は、図３に示すようにフロントパネル４０２を閉塞した状態で使用される。しかし、リモートコントローラ４００の設定および、通常あまり使用しない操作を行う場合は、図４に示すようにフロントパネル４０２を開放して使用される。
【００５０】
図２と図４に示すように、リモートコントローラ４００を開放したリモコン本体４０１の前面の上部には、衛生洗浄装置１００の使用時に多く使用する操作スイッチ４１０および人体検知センサ３００が配置されている。一方、リモコン本体４０１の前面の下部には、衛生洗浄装置１００の機能の設定を行う設定スイッチ４２０と、通常あまり使用しない操作スイッチ４１０が配置されている。また、リモコン本体４０１の前面の中央部には、非接触による操作で使用する２個の照度センサ４４０と非接触による操作と同様な操作が可能な操作スイッチ４１０が配設されている。なお、上記操作スイッチ４１０や設定スイッチ４２０は、スイッチの操作部に直接接触して操作する接触スイッチであるタクトスイッチにより構成されている。
【００５１】
また、図３に示すように、リモートコントローラ４００のフロントパネル４０２を閉塞した状態で、通常、使用する操作スイッチ４１０として、フロントパネル４０２には、ビデ洗浄スイッチ４１１と、お尻洗浄スイッチ４１２と、乾燥スイッチ４１３と、停止スイッチ４１４と、便座開スイッチ４１５と、便座閉スイッチ４１６が配置されている。ビデ洗浄スイッチ４１１は、女性の局部洗浄を開始するスイッチである。お尻洗浄スイッチ４１２は、お尻の洗浄を開始するスイッチである。乾燥スイッチ４１３は、洗浄後の臀部の乾燥を開始するスイッチである。停止スイッチ４１４は、ビデ洗浄スイッチ４１１とお尻洗浄スイッチ４１２と乾燥スイッチ４１３で開始した動作を停止させるスイッチである。便座開スイッチ４１５は、便座２２０を起立させるスイッチである。便座閉スイッチ４１６は、便座２２０を倒置するスイッチである。なお、便座開スイッチ４１５と便座閉スイ
ッチ４１６は同一垂線上に、所定の間隔をあけて配設されている。
【００５２】
また、図４に示すように、フロントパネル４０２を開放した状態でのみ使用可能な操作スイッチ４１０として、リモコン本体４０１には、例えばリズムスイッチ４１７と、ワイドスイッチ４１８、ムーブスイッチ４１９などが配置されている。リズムスイッチ４１７は、お尻洗浄の洗浄水を強弱に変化させるスイッチである。ワイドスイッチ４１８は、お尻洗浄時の洗浄水の噴出範囲を拡大、縮小するスイッチである。ムーブスイッチ４１９は、洗浄中の洗浄位置を前後に繰り返して移動させるスイッチである。
【００５３】
さらに、図４に示すように、リモコン本体４０１には、強度表示灯４３１と、温水温度表示灯４３２と、便座温度表示灯４３３と、電池表示灯４３４が配設されている。強度表示灯４３１は、強度スイッチ４２１の近傍に設けられ、洗浄水の強弱のレベルを表示する。温水温度表示灯４３２は、温水温度スイッチ４２３の近傍に設けられ、設定された温水温度のレベルを表示する。便座温度表示灯４３３は、便座温度スイッチ４２４の近傍に設けられ、設定された便座温度のレベルを表示する。電池表示灯４３４は、電池の消耗状態を表示する。
【００５４】
また、図３と図４に示すように、リモコン本体４０１の上面コーナ部には、例えば発光素子として赤外線発光ダイオードを備える赤外線送信部４３６が配置されている。赤外線送信部４３６は、リモートコントローラ４００の操作情報および設定情報を本体２００の袖部２６０に設置された赤外線受信部２６２に送信する。
【００５５】
また、図２および図５に示すように、リモートコントローラ４００のフロントパネル４０２は、略平板状（平板状を含む）の樹脂製のパネル枠４０２ａと、裏蓋４０２ｂと、複数の操作ボタン４０３とから構成されている。操作ボタン４０３は、リモコン本体４０１に設置した操作スイッチ４１０をフロントパネル４０２の表面から操作するボタンである。つまり、操作ボタン４０３は、フロントパネル４０２を閉塞した状態で、ビデ洗浄スイッチ４１１と、お尻洗浄スイッチ４１２と、乾燥スイッチ４１３と、停止スイッチ４１４と、便座開スイッチ４１５と、便座閉スイッチ４１６を操作するために、それらの位置に対応して設置されている。
【００５６】
また、リモートコントローラ４００のフロントパネル４０２には、強度表示灯４３１と電池表示灯４３４に対応する部分に透明な樹脂材料で形成された透過部４０４が配設されている。これにより、フロントパネル４０２の表面から強度表示灯４３１と電池表示灯４３４を視認できる。
【００５７】
（リモートコントローラの制御系の構成）
以下に、本実施の形態の衛生洗浄装置のリモートコントローラの制御系の構成について、図２を参照しながら説明する。
【００５８】
図２に示すように、リモートコントローラ４００は、情報入力部として人体検知センサ３００と、開閉スイッチ４３７と、操作スイッチ４１０と、設定スイッチ４２０を備えている。また、出力部として、本体２００に制御情報を赤外線で送信する赤外線送信部４３６と、制御情報を表示する表示灯４３０を備えている。さらに、リモートコントローラ４００の駆動源として電池４５０を備えている。
【００５９】
また、リモートコントローラ４００のリモコン制御部５００は、図示しないが、さらにセンサ検出部と、スイッチ操作検出部と、ジェスチャ検出部とを備えている。センサ検出部は、センサの検知信号を検出する。スイッチ操作検出部は、操作スイッチ４１０と設定スイッチ４２０のスイッチ操作を検出する。これにより、各種の操作情報を処理する。
【００６０】
また、リモートコントローラ４００のリモコン制御部５００は、図示しない電池４５０の残量を検出する電池検査部と、制御情報を表示する表示灯４３０を駆動する表示灯駆動部と、計時情報を提供するタイマを備えている。さらに、リモコン制御部５００の情報処理機能として、主にマイコンで構成される情報処理部を備えている。
【００６１】
以上により、本実施の形態の衛生洗浄装置のリモートコントローラの制御系が構成されている。
【００６２】
つまり、図２に示すように、上記構成を有するリモートコントローラ４００は、操作部である操作スイッチ４１０と、設定スイッチ４２０から各種の操作情報が入力される。そして、入力された操作情報に基づいて、どのような操作がされたかを、リモコン制御部５００の情報処理部で判定し、表示灯駆動部を介して所定の表示灯４３０を点灯させ、使用者に認識させる。
【００６３】
さらに、リモートコントローラ４００のリモコン制御部５００は、赤外線送信部４３６から本体２００の赤外線受信部２６２に制御信号を送信する。これにより、本体制御部２４０は、送信された制御信号に基づいて、衛生洗浄装置１００の各種機能の制御を行う。
【００６４】
（電力制御装置の構成）
以下に、本実施の形態の衛生洗浄装置の電力制御装置の構成について、図１から図５を参照しながら、図６を用いて説明する。
【００６５】
図６は、同実施の形態における電力制御装置を例示するブロック図である。
【００６６】
図６に示すように、本実施の形態の電力制御装置は、電源１０１は待機モードと通常モードを切り替える電源制御素子（電源制御ＩＣ）１０２から構成されている。電源制御素子（電源制御ＩＣ）１０２はＣＰＵ１０３から通常モード／待機モード切替信号１０４を出力し、それに対して、電源制御素子（電源制御ＩＣ）１０２内のモード切替部１０５により、待機時は、電源制御素子（電源制御ＩＣ）１０２の動作周波数を遅くして電源１０１全体の消費電力を低減させる。さらにこの信号に同期して、２次側負荷電源遮断回路１０６により２次側負荷１０７の通電を遮断する。
【００６７】
電源１０１の２次側にある２次側負荷１０７としては、便座温度を検知する便座サーミスタ（図示せず）、熱交換器への入水温度を検知する入水サーミスタ（図示せず）、熱交換器からの出湯温度を検知する出湯サーミスタ（図示せず）および便座２２０や熱交換器の温度過昇防止回路（図示せず）などがある。上記の２次側負荷１０７以外に電源１０１の２次側には、ノズル駆動回路（図示せず）や、水ポンプ駆動回路（図示せず）、脱臭ファン駆動回路１１７、便座便蓋駆動回路（図示せず）、漏電検知回路１１４などがある。
【００６８】
さらに、ＣＰＵ１０３は、リレー１０８を介して、１００Ｖ負荷１０９（便座ヒータや熱交ヒータ等）との接続および遮断を制御する。
【００６９】
また、商品上で漏電が発生した場合は電力制御装置内に備えている漏電検知回路１１４で１００Ｖ負荷１０９を遮断して、漏電に対する安全性を確保している。
【００７０】
なお、上述の（衛生洗浄装置の動作および作用）で説明したリモートコントローラ４００および本体受信部（赤外線受信部）２６２が、図６に示す使用検知手段１１１に相当し、使用検知手段１１１からの使用検知信号がＣＰＵ１０３に送信される。
【００７１】
また、使用検知手段１１１としては、使用者がリモートコントローラ４００の操作スイッチ４１０を操作して、リモートコントローラ４００から本体受信部（赤外線受信部）２６２に送信する構成も含まれる。
【００７２】
さらに、使用検知手段１１１としては、使用者が手動で便蓋２１０や便座２２０を開いたときも、機器が使用される信号として便座便蓋回動機構２１５からの信号をＣＰＵ１０３へ送信する構成も含まれる。
【００７３】
さらにまた、本体操作部２６１のお尻洗浄スイッチ２６１ｂが操作された場合のように、本体操作部２６１から機器が使用される信号としてＣＰＵ１０３へ送信される構成も使用検知手段１１１に含まれる。
【００７４】
さらに、漏電検知回路１１４が正常に働くことをテスト確認する漏電テスト回路１１５を備え、ＣＰＵ１０３が漏電テスト回路を作動させるＥＬＢモードへの切換指示により、ＣＰＵ１０３への供給電圧を放電低下させる放電回路１１６が構成されている。
【００７５】
以上により、本実施の形態の衛生洗浄装置１００の電力制御装置が構成されている。
【００７６】
使用検知手段１１１からの使用検知信号（機器を使用されていないことを示す信号）がＣＰＵ１０３に送信されると、ＣＰＵ１０３は、待機電力モードへの切替信号を電源１０１のモード切替部１０５および電源制御素子（電源制御ＩＣ）１０２に送信される。同時に、ＣＰＵ１０３自体が低速モードである待機電力モードに移行する。さらに、ＣＰＵ１０３からの通常電力モードから待機電力モードへの切替信号により、電源１０１内のモード切替部１０５によって、電源制御素子（電源制御ＩＣ）１０２が待機モードとなり、電源制御素子（電源制御ＩＣ）１０２が電源１０１の間欠駆動停止を繰り返す待機電力モードとなる。これにより、待機電力を限りなくゼロに近づけることができる。その結果、待機電力を０．００５Ｗ程度と桁違いに大幅に低減できる電力制御装置およびそれを備えた機器を実現できる。
【００７７】
（電力制御装置の動作および作用）
以下に、本実施の形態の電力制御装置の動作および作用について、図６、図７を参照しながら説明する。
【００７８】
まず、上述の（衛生洗浄装置の動作および作用）で待機電力モードを説明したように、使用検知手段１１１からＣＰＵ１０３へ送信される信号が待機電力モードに移行させる条件になると、ＣＰＵ１０３は、電源１０１内のモード切替部１０５へ通常電力モードから待機電力モードへ切り替える信号を送信する。同時にこの信号に同期して、２次側負荷電源遮断回路１０６により２次側負荷１０７の通電を遮断する。この動作により電源制御素子（電源制御ＩＣ）１０２が電源１０１の間欠駆動停止を繰り返す待機電力モードとなると同時にＣＰＵ１０３自らも高速モードから低速モードに移行する。これにより、待機電力が０．００５Ｗ程度と桁違いの大幅な低減を実現することができる。
【００７９】
実際に商品を使用中に外乱ノイズ等を受けることがあるが、そのノイズ対して誤動作しないように、通常動作時は、２つの入力コンデンサ、電源入力側コンデンサ１１２及び１００Ｖ負荷側コンデンサ１１３によって、耐ノイズを向上させている。しかしながら待機中は、リレー１０８を遮断して、待機電力を低減させているため、待機中の耐ノイズ対策として電源入力側コンデンサ１１２の効果は期待できない。また、電源入力側コンデンサ１１２の容量を上げていくと待機電力の上昇になり、結果待機電力を大幅に低減させることができなくなる。そのため、待機中にノイズを印加すると電源側に侵入して、漏電検知回路１１４が誤動作する。
【００８０】
そこで、今回の実施例である２次側負荷電源遮断回路１０６を介して、漏電検知回路１１４の電源を待機中は遮断する構成にすることにより、待機電力モード中は、漏電検知回路１１４が開放されているため、ノイズの影響は受けなくなるため、誤動作しない。
尚、待機電力モード中に漏電検知回路１１４への通電が遮断されていても、この場合、１００Ｖ負荷１０９がリレー１０８で遮断されていて漏電しないため商品全体の安全性は担保できている。
【００８１】
以上のように、本実施の形態の衛生洗浄装置の電力制御装置は、機器の使用を検知する使用検知手段１１１と、使用検知手段１１１からの信号により待機電力モードと通常電力モードの切換指示を出力するＣＰＵ１０３と、少なくともＣＰＵ１０３に電力を供給する電源１０１と、機器の漏電を検知する漏電検知回路１１４と、電源１０１の２次側負荷１０７および漏電検知回路１１４への通電を遮断する２次側負荷電源遮断回路１０６を備え、ＣＰＵ１０３は、待機電力モードへの切換指示により、電源１０１の２次側負荷１０７および漏電検知回路１１４への通電を２次側負荷電源遮断回路１０６により遮断する構成であることによって、使用検知手段１１１からの信号によりＣＰＵ１０３が通常電力モードから待機電力モードへ移行させる条件になると、ＣＰＵ１０３からの待機電力モードへの切替指示により、電源１０１自体が待機電力モードへ切替わると同時に、２次側負荷１０７および漏電検知回路１１４への通電が２次側負荷電源遮断回路１０６によって遮断される。
【００８２】
このように、機器を使用していないときの待機電力モード時、漏電検知回路１１４への通電が遮断されるので、外部からノイズによって漏電検知回路１１４が誤動作することを防止でき、安定して動作させることができる電力制御装置およびそれを備えた機器を提供することができる。
【００８３】
また、本実施の形態を示す図６の衛生洗浄装置の電力制御装置で、図６の漏電検知回路１１４の動作確認をするために、図示していない漏電テストボタンを押すと、ＣＰＵ１０３から漏電テスト回路１１５を作動させるＥＬＢモードへの切換指示信号が出される。この漏電テスト回路１１５を作動させるＥＬＢモードへの切換指示により、ＥＬＢモードへ切替わると、２次側負荷１０７および漏電検知回路１１４、脱臭ファン駆動回路１１７への通電が２次側負荷電源遮断回路１０６によって遮断されるとともに、放電回路１１６が動作される。この漏電テスト回路１１５を作動させる時点を、図８のタイミングチャートでは、Ｔｈで示されている。
【００８４】
この、放電回路１１６が動作されると、図８のＴｒ時点に示したように、放電回路１１６による放電により、無用に脱臭ファン動作することなく、ＣＰＵリセット電圧以下までＣＰＵ供給電圧が低下して、ＣＰＵはリセットされる。
【００８５】
これによって、図８のＴｎ、Ｔｓ時点に示したように、コンセントを抜いて差し込む、いわゆるＥＬＢモードから復帰させる際に、無用に脱臭ファン動作することなく、確実にＣＰＵ１０３をリセットさせ復帰させることができる。
【００８６】
以上のように、本実施の形態の電力制御装置およびそれを備えた機器は、機器の使用を検知する使用検知手段１１１と、使用検知手段１１１からの信号により待機電力モードと通常電力モードの切替指示を出力するＣＰＵ１０３と、少なくともＣＰＵ１０３に電力を供給する電源１０１と、機器の漏電を検知する漏電検知回路１１４と、漏電検知回路１１４の動作確認をする漏電テスト回路１１５と、ＣＰＵ１０３への供給電圧を放電低下させる放電回路１１６と、電源１０１の２次側負荷１０７および漏電検知回路１１４への通電を遮断する２次側負荷電源遮断回路１０６を備え、ＣＰＵ１０３は、漏電テスト回路１１
５を作動させるＥＬＢモードへの切換指示により、電源１０１の２次側負荷１０７および漏電検知回路１１４、脱臭ファン駆動回路１１７への通電を２次側負荷電源遮断回路１０６により遮断するとともに、放電回路１１６を動作する構成によって、漏電テスト回路を作動させた状態（ＥＬＢモード）から復帰させる際に、脱臭ファン等を無用に動作させることなく、安定してＣＰＵをリセットさせ復帰させることができる。
【産業上の利用可能性】
【００８７】
本発明は、機器を使用していないときの待機電力の大幅な低減が要望される電力制御装置を備える、人体検知センサやリモートコントローラが搭載された機器などの技術分野に適用できる。
【符号の説明】
【００８８】
１０１  電源
１０２  電源制御素子（電源制御ＩＣ）
１０３  ＣＰＵ
１０４  通常モード／待機モード切替信号
１０５  モード切替部
１０６  ２次側負荷電源遮断回路
１０７  ２次側負荷
１０８  リレー
１０９  １００Ｖ負荷
１１０  便器
１１１  使用検知手段
１１２  電源入力側コンデンサ
１１３  １００Ｖ負荷側コンデンサ
１１４  漏電検知回路
１１５  漏電テスト回路
１１６  放電回路
１１７  脱臭ファン駆動回路
２００  本体
２１０  便蓋
２１５  便座便蓋回動機構
２２０  便座
２２１  便座ヒータ
２３０  洗浄機構
２３１  洗浄ノズル
２４０  本体制御部
２５０  着座検知センサ
２６０  袖部
２６１  本体操作部
２６１ａ  電源スイッチ
２６１ｂ  お尻洗浄スイッチ
２６２  本体受信部（赤外線受信部）
３００  人体検知センサ
４００  リモートコントローラ（操作リモコン）
４０１  リモコン本体
４０１ａ  磁石
４０２  フロントパネル（外郭）
４０２ｃ  受板
４０３  操作ボタン
４１０  操作スイッチ
４１１  ビデ洗浄スイッチ
４１２  お尻洗浄スイッチ
４１３  乾燥スイッチ
４１５  便座開スイッチ
４１６  便座閉スイッチ
４１７  リズムスイッチ
４１８  ワイドスイッチ
４１９  ムーブスイッチ
４２０  設定スイッチ
４２１  強度スイッチ
４２３  温水温度スイッチ
４２４  便座温度スイッチ
４３０  表示灯
４３１  強度表示灯
４３２  温水温度表示灯
４３３  便座温度表示灯
４３４  電池表示灯
４３６  赤外線送信部
４５０  電池
５００  リモコン制御部
【図１】
0006646807.tif 000002
【図２】
0006646807.tif 000003
【図３】
0006646807.tif 000004
【図４】
0006646807.tif 000005
【図５】
0006646807.tif 000006
【図６】
0006646807.tif 000007
【図７】
0006646807.tif 000008
【図８】
0006646807.tif 000009